(57)【要約】【課題】建物等の壁面に取り付けて使用される椅子において、汚れや損傷等が生じた際にメンテナンスを簡便に行うのに適した椅子を提供すること。【解決手段】本発明の椅子Ａは、壁面Ｗに固定される支持体１と、この支持体１の上部に着脱可能に取り付けられ、基端部２Ａから先端部２Ｂに向かうにつれて壁面Ｗから離間する座体２と、壁面Ｗに着脱可能に取り付けられ、座体２の上方に位置する背もたれ体３と、を備える。座体２の基端部２Ａは、支持体１と背もたれ体３との間に挟まれている。【選択図】図３
2012176191.tif 000002
【特許請求の範囲】
【請求項１】
壁面に固定される支持体と、
この支持体の上部に着脱可能に取り付けられ、基端部から先端部に向かうにつれて上記壁面から離間する座体と、
上記壁面に着脱可能に取り付けられ、上記座体の上方に位置する背もたれ体と、を備え、
上記座体の上記基端部は、上記支持体と上記背もたれ体との間に挟まれていることを特徴とする、椅子。
【請求項２】
上記支持体は、上記壁面に近接する基端から延びて当該壁面から離間する先端に至る支持ステーを有し、
上記座体は、上記支持ステー上に載置された状態でこの支持ステーに取り付けられる、請求項１に記載の椅子。
【請求項３】
上記支持体は、上記支持ステーの下方に隣接し、かつ、背面が上記壁面に固定された支持ベースを有し、
上記支持ステーの基端から先端までの長さ寸法は、上記支持ベースの上記背面から正面までの長さ寸法よりも大とされる、請求項２に記載の椅子。
【請求項４】
上記支持ベースの下端は、床面に接触している、請求項３に記載の椅子。
【請求項５】
上記座体は、上記基端部から上記先端部に至るまで延びる座板ベースと、この座板ベース上に設けられ、弾性を有するクッション体と、少なくとも上記クッション体の表面を覆うシート体とを備えて構成される、請求項２ないし４のいずれかに記載の椅子。
【請求項６】
上記座板ベースは、上記基端部に対応する第１部分と、上記第１部分より先端側につながり、上面が上記第１部分の上端よりも低位にある第２部分と、を有し、
上記クッション体は、上記第２部分の上面を覆うように設けられており、
上記第１部分の上端と上記背もたれ体の下端とが接触しうる、請求項５に記載の椅子。
【請求項７】
上記座体は、上記座板ベースの上記第１部分が上記支持ステーにビス止めされることによって上記支持体に取り付けられている、請求項６に記載の椅子。
【請求項８】
上記背もたれ体は、面着ファスナによって上記壁面に取り付けられている、請求項１ないし７のいずれかに記載の椅子。
【請求項９】
上記背もたれ体の上方において、上記壁面には取付体が設けられており、
上記背もたれ体の上端は、上記取付体の下端と接触しうる、請求項１ないし８のいずれかに記載の椅子。
【発明の詳細な説明】
【技術分野】
【０００１】
本発明は、建物等の壁面に取り付けて使用される椅子に関する。
【背景技術】
【０００２】
従来、建物の壁面に取り付けて使用される据付型の椅子が知られている（たとえば、特許文献１を参照）。特許文献１に開示された椅子は、壁面（１）に固定された取付体（２）と、この取付体に対して回動可能に取り付けられた座板体（３）とを備えている。座板体（３）は、取付体（２）に回動可能に取り付けられており、使用時には座板体（３）を横倒し状態とする一方、不使用時には座板体（３）を起立状態とすることによって折り畳まれた格納姿勢をとらせることができる。このような椅子は、たとえば家屋の玄関等の壁面（１）に取り付けて使用される。
【０００３】
一方、駅や空港などの公共施設、あるいはショッピングセンターなどの店舗施設の建物内においても、据付型の椅子が利用されている。これら施設で用いられる椅子は、たとえば、休憩室や待合室、通路脇などにおいて、壁面に取り付けられる。しかしながら、施設等で使用される椅子は、使用頻度に応じて、座や背もたれに汚れや損傷が生じる。このような事態に対し、メンテナンスを簡便に行うことが求められていた。
【先行技術文献】
【特許文献】
【０００４】
【特許文献１】特開２００３−２１０２７８号公報
【発明の概要】
【発明が解決しようとする課題】
【０００５】
本発明は、このような事情のもとで考え出されたものであって、建物等の壁面に取り付けて使用される椅子において、汚れや損傷等が生じた際にメンテナンスを簡便に行うのに適した椅子を提供することを課題とする。
【課題を解決するための手段】
【０００６】
上記の課題を解決するため、本発明では、次の技術的手段を講じている。
【０００７】
本発明によって提供される椅子は、壁面に固定される支持体と、この支持体の上部に着脱可能に取り付けられ、基端部から先端部に向かうにつれて上記壁面から離間する座体と、上記壁面に着脱可能に取り付けられ、上記座体の上方に位置する背もたれ体と、を備え、上記座体の上記基端部は、上記支持体と上記背もたれ体との間に挟まれていることを特徴としている。
【０００８】
上記のように座体の基端部が支持体と背もたれ体との間に挟まれた構成によれば、椅子の利用者による荷重が座体に作用しても、当該座体はその取り付け姿勢を維持することができる。また、座体は支持体に着脱可能に取り付けられ、背もたれ体は壁面に着脱可能に取り付けられている。これにより、座体あるいは背もたれ体に汚れや損傷が生じた際には、その損傷等が生じた座体や背もたれ体を簡単に取り替えることができる。このことは、椅子のメンテナンスを簡便に行うのに適している。
【０００９】
好ましい実施の形態においては、上記支持体は、上記壁面に近接する基端から延びて当該壁面から離間する先端に至る支持ステーを有し、上記座体は、上記支持ステー上に載置された状態でこの支持ステーに取り付けられる。
【００１０】
好ましい実施の形態においては、上記支持体は、上記支持ステーの下方に隣接し、かつ、背面が上記壁面に固定された支持ベースを有し、上記支持ステーの基端から先端までの長さ寸法は、上記支持ベースの上記背面から正面までの長さ寸法よりも大とされる。
【００１１】
好ましい実施の形態においては、上記支持ベースの下端は、床面に接触している。
【００１２】
好ましい実施の形態においては、上記座体は、上記基端部から上記先端部に至るまで延びる座板ベースと、この座板ベース上に設けられ、弾性を有するクッション体と、少なくとも上記クッション体の表面を覆うシート体とを備えて構成される。
【００１３】
好ましい実施の形態においては、上記座板ベースは、上記基端部に対応する第１部分と、上記第１部分より先端側につながり、上面が上記第１部分の上端よりも低位にある第２部分と、を有し、上記クッション体は、上記第２部分の上面を覆うように設けられており、上記第１部分の上端と上記背もたれ体の下端とが接触しうる。
【００１４】
好ましい実施の形態においては、上記座体は、上記座板ベースの上記第１部分が上記支持ステーにビス止めされることによって上記支持体に取り付けられている。
【００１５】
好ましい実施の形態においては、上記背もたれ体は、面着ファスナによって上記壁面に取り付けられている。
【００１６】
好ましい実施の形態においては、上記背もたれ体の上方において、上記壁面には取付体が設けられており、上記背もたれ体の上端は、上記取付体の下端と接触しうる。
【００１７】
本発明のその他の特徴および利点は、添付図面を参照して以下に行う詳細な説明によって、より明らかとなろう。
【図面の簡単な説明】
【００１８】
【図１】本発明に係る椅子の一例を示し、椅子を建物等の壁面に取り付けた状態を表す斜視図である。
【図２】図１の平面図である。
【図３】図２のＩＩＩ−ＩＩＩ線に沿う断面図である。
【図４】図３の部分拡大図である。
【発明を実施するための形態】
【００１９】
以下、本発明の好ましい実施の形態について、図面を参照して具体的に説明する。
【００２０】
図１〜図４は、本発明に係る椅子の一例を示している。図１は、本発明に係る椅子を建物等の壁面に取り付けた状態を表す斜視図である。図２は、図１の平面図である。図３は、図２のＩＩＩ−ＩＩＩ線に沿う断面図である。本実施形態の椅子Ａは、壁面Ｗに固定される支持体１と、支持体１の上部に取り付けられる座体２と、座体２の上方に位置する背もたれ体３とを備えて構成されている。
【００２１】
支持体１は、座体２を支持するためのものであり、支持ステー１１と、この支持ステー１１の下方に隣接する支持ベース１２とを有している。
【００２２】
図３および図４に表れているように、支持ベース１２は、たとえば、枠状に組み付けられた木製角材に木製板材を貼り合せた矩形箱状の木工材を主要構成要素としており、正面には化粧板１２１が貼着され、支持ベース１２の背面は、たとえば接着剤によって壁面Ｗに固定されている。また、支持ベース１２の下端１２ａは、床面Ｆに接触している。
【００２３】
支持ステー１１は、座体２を取り付ける部分であり、壁面Ｗに近接する基端から延びて当該壁面Ｗから離間する先端まで至っている。支持ステー１１の基端から先端までの長さ寸法Ｌ１は、支持ベース１２の背面から正面までの長さ寸法Ｌ２よりも大とされている。本実施形態では、支持ステー１１は、所定幅のＬ形鋼によって構成されており、横方向に所定間隔を隔てて複数設けられている（図２参照）。当該Ｌ形鋼の一方の辺１１１は座体２が載る部分であり、他方の辺１１２は支持ベース１２の背面にあてがわれている。上記構成の支持ステー１１は、支持ベース１２の上面ないし背面にビス止めによって取り付けられている。
【００２４】
図２〜図４に表れているように、座体２は、全体として所定幅を有するとともに、基端部２Ａから先端部２Ｂに向かうにつれて壁面Ｗから離間するように配されており、この座体２の基端部２Ａは、支持体１と背もたれ体３との間に挟まれている。座体２は、座板ベース２１と、座板ベース２１上に設けられたクッション体２２と、シート体２３とを備えて構成されている。
【００２５】
座板ベース２１は、基端部２Ａから先端部２Ｂに至るまで延びており、たとえば、枠状に組み付けられた木製角材に木製板材を貼り合せた木工材によって構成されている。図４に表れているように、本実施形態では、座板ベース２１は、矩形ブロック状の第１部分２１１と、この第１部分より先端側につながる第２部分２１２とを有している。第１部分２１１は、座体２の上記基端部２Ａに対応する部分であり、この第１部分２１１の上端２１１ａが、シート体２３および後述するシート体３３を介して、背もたれ体３の下端３ａと接触しうる。第２部分２１２の上面２１２ａは、第１部分２１１の上端２１１ａよりも低位に位置するとともに、先端側に向かうにつれて下がる緩やかな傾斜面を有する。
【００２６】
クッション体２２は、一定厚みに形成された弾性材料によって構成されており、第２部分２１２の上面２１２ａを覆うように設けられている。これにより、クッション体２２の上面２２ａについても、第２部分２１２の上面２１２ａと同程度の緩やかな傾斜面となっている。クッション体２２の構成材料としては、たとえば、発泡ウレタンの破砕片を押し固めて形成されたチップウレタンを挙げることができる。
【００２７】
シート体２３は、クッション体２２の表面を覆うものであり、たとえば防水性シート材料によって構成されている。本実施形態では、シート体２３は、座板ベース２１の側面およびクッション体２２の側面ないし上面２２ａを覆うように設けられている。
【００２８】
上記構成の座体２は、支持ステー１１上に載置された状態でこの支持ステー１１に取り付けられている。より詳細には、座体２は、座板ベース２１の第２部分２１２が支持ステー１１にビス止めされることにより、この支持ステー１１に着脱可能に取り付けられている。
【００２９】
図２〜図４に表れているように、背もたれ体３は、全体として所定幅を有し、上下方向に延びた姿勢で壁面Ｗに取り付けられている。背もたれ体３は、背もたれベース３１と、背もたれベース３１上に設けられたクッション体３２と、シート体３３とを備えて構成されている。
【００３０】
背もたれベース３１は、枠状に組み付けられた木製角材に木製板材を貼り合せた木工材によって構成されている。背もたれベース３１の背面の所定部位、および当該部位に対応する壁面Ｗの所定部位には、複数組の面着ファスナ４Ａ，４Ｂが設けられている。クッション体３２は、一定厚みに形成された弾性材料によって構成されており、背もたれベース３１の正面部分を覆うように設けられている。クッション体３２の構成材料としては、たとえばチップウレタンを挙げることができる。シート体３３は、クッション体３２の表面を覆うものであり、たとえば防水性シート材料によって構成されている。本実施形態では、シート体３３は、背もたれベース３１の側面およびクッション体３２の側面ないし正面を覆うように設けられている。
【００３１】
上記構成の背もたれ体３は、面着ファスナ４Ａ，４Ｂによって壁面Ｗに着脱可能に取り付けられている。
【００３２】
本実施形態では、背もたれ体３の上方において、取付体５が設けられている。取付体５は、たとえば、基材に防水性シートを巻き付けて構成されたものである。取付体５は、その下端５ａが背もたれ体３の上端３ｂと接触しうるように、たとえば面着ファスナ（図示略）によって壁面Ｗに取り付けられている。
【００３３】
次に、上記構成の椅子Ａの作用について説明する。
【００３４】
椅子Ａは、たとえば、公共施設や店舗施設などの建物内において、休憩室や待合室、通路脇などの壁面Ｗに取り付けて使用される。椅子Ａにおいて、座体２は、基端部２Ａから先端部２Ｂに向かうにつれて壁面Ｗから離間する姿勢で支持体１の上部に着脱可能に取り付けられている。そして、この座体２の上方には、背もたれ体３が壁面Ｗに着脱可能に取り付けらており、座体２の基端部２Ａは、支持体１と背もたれ体３との間に挟まれている。このように座体２の基端部２Ａが支持体１と背もたれ体３との間に挟まれた構成によれば、椅子Ａの利用者による荷重Ｐが座体２に作用しても、当該座体２はその取り付け姿勢を維持することができる。
【００３５】
座体２は、支持体１に着脱可能に取り付けられ、また、背もたれ体３は、壁面Ｗに着脱可能に取り付けられている。これにより、座体２あるいは背もたれ体３に汚れや損傷が生じた際には、その損傷等が生じた座体２や背もたれ体３を簡単に取り替えることができる。このことは、椅子Ａのメンテナンスを簡便に行うのに適している。
【００３６】
座体２を取り外す場合には、まず、背もたれ体３を取り外し、その後に座体２を取り外す。背もたれ体３は、面着ファスナ４Ａ，４Ｂによって壁面Ｗに取り付けられているので、背もたれ体３の着脱作業は、容易に行うことができる。これにより、座体２あるいは背もたれ体３の交換時の作業負担が軽減される。
【００３７】
支持体１は、壁面Ｗに近接する基端から延びて当該壁面Ｗから離間する先端まで至る支持ステー１１を有しており、座体２は、支持ステー１１上に載置された状態でこの支持ステー１１に取り付けられている。このような構成によれば、基端部２Ａから先端部２Ｂに至るまで延びる座体２は、支持ステー１１によって適確に支持される。
【００３８】
支持体１は、支持ステー１１の下方に隣接する支持ベース１２を有し、この支持ベース１２が壁面Ｗに固定されている。そして、支持ステー１１の基端から先端までの長さ寸法Ｌ１は、支持ベース１２の背面から正面までの長さ寸法Ｌ２よりも大とされている。このような構成によれば、支持体１全体のサイズを比較的コンパクトにすることができる。また、長さ寸法Ｌ１，Ｌ２が上記した関係にあることにより、支持ステー１１は、支持ベース１２の正面よりも先端側に位置する部分において、下方に露出している。この支持ステー１１の露出部分を利用することにより、座板ベース２１（座体２）の支持ステー１１へのビス止めによる取り付けは、容易に行うことが可能である。
【００３９】
また、本実施形態の椅子Ａにおいて、支持ベース１２の下端１２ａは、床面Ｆに接触している。このような構成は、座体２に作用する利用者の荷重Ｐを支持体１によって適確に支持するうえで好ましい。
【００４０】
座体２は、座板ベース２１と、座板ベース２１上に設けられるクッション体２２と、クッション体２２の表面を覆うシート体２３とを備えている。このような構成においては、座体２に損傷等が生じた際、シート体２３のみを交換すればよい場合が多い。このことは、椅子Ａのメンテナンスを簡便に行うのに資する。
【００４１】
なお、背もたれ体３についても、背もたれベース３１と、背もたれベース３１上に設けられるクッション体３２と、クッション体３２の表面を覆うシート体３３とを備えて構成されているため、メンテナンスを行ううえで便宜である。
【００４２】
椅子Ａの利用者による荷重Ｐが座体２に作用すると、座体２の基端部２Ａ（第１部分２１１）には図４に示されるように回転モーメントＭが作用する。このとき、第１部分２１１の上端２１１ａが背もたれ体３の下端３ａに接触することにより、座体２に作用する回転モーメントＭを背もたれ体３によって受け止めることができる。
【００４３】
本実施形態では、背もたれ体３の上方において、取付体５が設けられており、取付体５の下端５ａが背もたれ体３の上端３ｂと接触しうる。このような構成によれば、上記した座体２に作用する回転モーメントＭを、背もたれ体３に加えて取付体５によっても受け止めることができる。このことは、座体２の取り付け姿勢を適切に維持するうえで好ましい。
【００４４】
以上、本発明の具体的な実施形態を説明したが、本発明はこれに限定されるものではなく、発明の思想から逸脱しない範囲内で種々な変更が可能である。本発明に係る椅子の各部の具体的な形状や材質なども、上記実施形態に限定されるものではない。
【符号の説明】
【００４５】
Ａ        椅子
１        支持体
２        座体
２Ａ      基端部
２Ｂ      先端部
３        背もたれ体
３ａ      （背もたれ体の）下端
３ｂ      （背もたれ体の）上端
４Ａ，４Ｂ    面着ファスナ
５        取付体
５ａ      （取付体の）下端
１１      支持ステー
１２      支持ベース
１２ａ    （支持ベースの）下端
２１      座板ベース
２１１    第１部分
２１１ａ    （第１部分の）上端
２１２    第２部分
２１２ａ    （第２部分の）上面
２２      クッション体
２２ａ    （クッション体の）上面
２３      シート体
３１      背もたれベース
３２      クッション体
３３      シート体
【図１】
2012176191.tif 000003
【図２】
2012176191.tif 000004
【図３】
2012176191.tif 000005
【図４】
2012176191.tif 000006